(57)【要約】      （修正有）【課題】小型でありながら、広い画角が確保され、良好な光学性能を有し、かつ環境温度の変化に対して高い安定性を有する撮像光学系を提供する。【解決手段】撮像光学系１０は、物体側より順に、負のパワーを有する第１レンズＬ１と、第２レンズＬ２と、正のパワーを有する第３レンズＬ３と、負のパワーを有する第４レンズＬ４と、正のパワーを有する第５レンズＬ５とから実質的になり、半画角は４０度以上であり、第２レンズＬ２の物体側の面の近軸曲率は負であり、第２レンズＬ２の像側の面の近軸曲率は負であり、条件式０．２＜ｆ／ＴＴＬ＜０．３…（１）を満たす。ここで、値ｆは撮像光学系全系の焦点距離であり、値ＴＴＬは第１レンズＬ１の物体側面頂点から光軸ＡＸに沿った像面までの距離である。【選択図】図１
2019124744.tif 000002
【特許請求の範囲】
【請求項１】
物体側より順に、
負のパワーを有する第１レンズと、
第２レンズと、
正のパワーを有する第３レンズと、
負のパワーを有する第４レンズと、
正のパワーを有する第５レンズと、
から実質的になり、
半画角は４０度以上であり、
前記第２レンズの物体側の面の近軸曲率は負であり、
前記第２レンズの像側の面の近軸曲率は負であり、
以下の条件式を満たすことを特徴とする撮像光学系。
０．２＜ｆ／ＴＴＬ＜０．３    …    （１）
ここで、
ｆ：撮像光学系全系の焦点距離
ＴＴＬ：前記第１レンズの物体側面頂点から光軸に沿った像面までの距離
【請求項２】
以下の条件式を満たすことを特徴とする請求項１に記載の撮像光学系。
ｄｎ／ｄＴ（Ｌ１）＞３．０×１０−６    …    （２）
ｄｎ／ｄＴ（Ｌ３）＞０．０×１０−６    …    （３）
ｄｎ／ｄＴ（Ｌ５）＜０．０×１０−６    …    （４）
ここで、
ｄｎ／ｄＴ（Ｌ１）：前記第１レンズにおけるｄ線の屈折率の温度変化係数
ｄｎ／ｄＴ（Ｌ３）：前記第３レンズにおけるｄ線の屈折率の温度変化係数
ｄｎ／ｄＴ（Ｌ５）：前記第５レンズにおけるｄ線の屈折率の温度変化係数
【請求項３】
前記第１レンズから前記第５レンズまでの全てのレンズは、ガラスで構成されることを特徴とする請求項１及び２のいずれか一項に記載の撮像光学系。
【請求項４】
前記第３レンズは、前記第１レンズから第５レンズのうち最も強いパワーを有することを特徴とする請求項１から３までのいずれか一項に記載の撮像光学系。
【請求項５】
以下の条件式を満たすことを特徴とする請求項１から４までのいずれか一項に記載の撮像光学系。
０．０８＜（Ｒ２１／Ｒ２２）／ｆ＜０．１６    …    （５）
ここで、
Ｒ２１：前記第２レンズの物体側面の曲率半径
Ｒ２２：前記第２レンズの像側面の曲率半径
ｆ：撮像光学系全系の焦点距離
【請求項６】
請求項１から５までのいずれか一項に記載の撮像光学系と、
前記撮像光学系の像を撮影する撮像素子と、
を備えることを特徴とする撮像装置。
【発明の詳細な説明】
【技術分野】
【０００１】
本発明は、５枚のレンズから実質的になる広角タイプの撮像光学系、及びこれを備える撮像装置に関する。
【背景技術】
【０００２】
近年、自動車に搭載されるミラーの電子化が進み、ルームミラーやドアミラーに適した比較的小型で広角な撮像光学系の需要が高まっている。特に、ルームミラーの場合、自動車の天井やリアウインドウ上部にカメラが取り付けられる可能性があり、過酷な環境温度にさらされることが想定される。このような環境温度に対する安定性を考慮した撮像光学系が提案されている（特許文献１参照）。
【０００３】
しかしながら、特許文献１の撮像光学系は、水平画角が２ω＝６０度程度と狭く、かつレンズ枚数も７枚と比較的多いため、小型化には不十分である。
【先行技術文献】
【特許文献】
【０００４】
【特許文献１】特開２０１６−１４２７６７号公報
【発明の概要】
【０００５】
本発明は上記事情に鑑み、小型でありながら、広い画角が確保され、良好な光学性能を有し、かつ環境温度の変化に対して高い安定性を有する撮像光学系を提供することを目的とする。
【０００６】
また、本発明は、上記撮像光学系を備えた撮像装置を提供することを目的とする。
【０００７】
上記目的を達成するため、本発明に係る撮像光学系は、物体側より順に、負のパワーを有する第１レンズと、第２レンズと、正のパワーを有する第３レンズと、負のパワーを有する第４レンズと、正のパワーを有する第５レンズと、から実質的になり、半画角は４０度以上であり、第２レンズの物体側の面の近軸曲率は負であり、第２レンズの像側の面の近軸曲率は負であり、以下の条件式を満たす。
０．２＜ｆ／ＴＴＬ＜０．３    …    （１）
ここで、値ｆは撮像光学系全系の焦点距離であり、値ＴＴＬは第１レンズの物体側面頂点から光軸に沿った像面までの距離である。
【０００８】
上記撮像光学系によれば、第１レンズを負とし、第３レンズを正とすることで、第１レンズは広い画角の光を集める役割を有し、第３レンズは第１レンズで集めた光を適切に集光し、第４レンズ以降のレンズへ導く役割を有する。これにより、第２レンズについては、非点収差等の諸収差を補正する役割に絞ることができる。また、第４レンズと第５レンズとを負及び正の組み合わせとすることで、色収差の補正を行うことができ、半画角が４０度以上と広角でありながらも、光学系全体としての高性能化を図ることができる。
【０００９】
また、第２レンズの物体側面及び像側面における近軸曲率又は近軸曲率半径を負にすることにより、第２レンズは、第１レンズからの出射光に大きな屈折力を与えることなく光を受け取り、大きな屈折力を与えることなく第３レンズに光を出射することができる。これにより、第２レンズについては、収差を悪化させずに補正する役割を有する。
【００１０】
また、条件式（１）の値ｆ／ＴＴＬが上記上限を下回ることで、光学系が小さくなりすぎず、諸収差を補正するための十分なレンズ構成とすることができ、高性能な特性を得ることができる。一方、条件式（１）の値ｆ／ＴＴＬが上記下限を上回ることで、光学系が大きくなりすぎず、光学系を小型化することができる。
【００１１】
本発明の具体的な１つの側面では、上記撮像光学系によれば、以下の条件式を満たす。
ｄｎ／ｄＴ（Ｌ１）＞３．０×１０−６    …    （２）
ｄｎ／ｄＴ（Ｌ３）＞０．０×１０−６    …    （３）
ｄｎ／ｄＴ（Ｌ５）＜０．０×１０−６    …    （４）
ここで、値ｄｎ／ｄＴ（Ｌ１）は第１レンズにおけるｄ線の屈折率の温度変化係数〔１／Ｋ〕であり、値ｄｎ／ｄＴ（Ｌ３）は第３レンズにおけるｄ線の屈折率の温度変化係数〔１／Ｋ〕であり、値ｄｎ／ｄＴ（Ｌ５）は第５レンズにおけるｄ線の屈折率の温度変化係数〔１／Ｋ〕である。
【００１２】
値ｄｎ／ｄＴ（Ｌ１）及びｄｎ／ｄＴ（Ｌ３）が条件式（２）及び（３）を満たすことにより、第１レンズが負であり、第３レンズが正であることから、温度変化による光学系全体の屈折力の変化をほぼ相殺することができる。また、値ｄｎ／ｄＴ（Ｌ５）が条件式（４）を満たすことにより、条件式（２）及び（３）で実施される相殺の結果をさらに調整し、良好な光学性能を維持することができる。
【００１３】
本発明の別の側面では、第１レンズから第５レンズまでの全てのレンズは、ガラスで構成される。この場合、ガラスは樹脂材料よりも線膨張係数が小さいことにより、温度変化に対して安定性の高い光学系とすることができる。
【００１４】
本発明のさらに別の側面では、第３レンズは、第１レンズから第５レンズのうち最も強いパワーを有する。この場合、撮像光学系としての集光機能の大部分を第３レンズが担うこととなり、第１、第２、第４、及び第５レンズについては、集光以外の役割として配置することができる。これにより、高性能な光学特性を得ることができる。
【００１５】
本発明のさらに別の側面では、以下の条件式を満たすことを特徴とする請求項１から４までのいずれか一項に記載の撮像光学系。
０．０８＜（Ｒ２１／Ｒ２２）／ｆ＜０．１６    …    （５）
ここで、値Ｒ２１は第２レンズの物体側面の曲率半径であり、値Ｒ２２は第２レンズの像側面の曲率半径である。
【００１６】
値（Ｒ２１／Ｒ２２）／ｆが条件式（５）を満たすことにより、第２レンズの入射光及び出射光に過度の屈折力がかからず、第１レンズからの光を収差を悪化させることなく第２レンズ内に導くことができ、第２レンズから第３レンズへも収差を悪化させることなく光を伝達することができる。これにより、不要な収差が発生することを低減することができ、光学性能を維持することができる。
【００１７】
上記目的を達成するため、本発明に係る撮像装置は、上述の撮像光学系と、撮像光学系の像を撮影する撮像素子と、を備える。
【００１８】
上記撮像装置によれば、上述の撮像光学系を設けることにより、小型でありながら、広い画角が確保され、良好な光学性能を有し、かつ環境温度の変化に対して高い安定性を有するものとできる。
【図面の簡単な説明】
【００１９】
【図１】本発明の一実施形態の撮像光学系を備えるレンズユニット及び撮像装置を説明する図である。
【図２】（Ａ）は、実施例１の撮像光学系等の断面図であり、（Ｂ）〜（Ｄ）は、収差図である。
【図３】（Ａ）は、実施例２の撮像光学系等の断面図であり、（Ｂ）〜（Ｄ）は、収差図である。
【発明を実施するための形態】
【００２０】
図１は、本発明の一実施形態である撮像装置１００を説明する断面図である。撮像装置１００は、画像信号を形成するカメラモジュール３０と、カメラモジュール３０を動作させることにより撮像装置１００としての機能を発揮させる処理部６０とを備える。
【００２１】
カメラモジュール３０は、撮像光学系１０を内蔵するレンズユニット４０と、撮像光学系１０によって形成された被写体像を画像信号に変換するセンサー部５０とを備える。
【００２２】
レンズユニット４０は、広角光学系である撮像光学系１０と、撮像光学系１０を支持する鏡筒４１とを備える。撮像光学系１０は、第１〜第５レンズＬ１〜Ｌ５で構成されている。鏡筒４１は、樹脂、金属、樹脂にグラスファイバーを混合したもの等で形成され、レンズ等を内部に収納し保持している。鏡筒４１を金属や、樹脂にグラスファイバーを混合したもので形成する場合、樹脂よりも熱膨張しにくく、撮像光学系１０を安定して固定することができる。鏡筒４１は、物体側からの光を入射させる開口ＯＰを有する。
【００２３】
撮像光学系１０の全画角は、８０°以上である。撮像光学系１０を構成する第１〜第５レンズＬ１〜Ｌ５は、それらのフランジ部若しくは外周部において鏡筒４１の内面側に直接的又は間接的に保持されており、光軸ＡＸ方向及び光軸ＡＸに垂直な方向に関しての位置決めがなされている。鏡筒４１は、絞りＳＴやフィルターＦ１といったレンズＬ１〜Ｌ５以外の光学要素も支持している。
【００２４】
センサー部５０は、撮像光学系（広角光学系）１０によって形成された被写体像を光電変換する固体撮像素子５１と、この固体撮像素子５１を支持する基板５２と、基板５２を介して固体撮像素子５１を保持するセンサーホルダー５３とを備える。固体撮像素子５１は、例えばＣＭＯＳ型のイメージセンサーである。基板５２は、固体撮像素子５１を動作させるための配線、周辺回路等を備える。センサーホルダー５３は、樹脂その他の材料で形成され、固体撮像素子５１を光軸ＡＸに対して位置決めする。レンズユニット４０の鏡筒４１はセンサーホルダー５３に嵌合するように位置決めされた状態で固定されている。
【００２５】
固体撮像素子（撮像素子）５１は、撮像面Ｉとしての光電変換部５１ａを有し、その周辺には、不図示の信号処理回路が形成されている。光電変換部５１ａには、画素つまり光電変換素子が２次元的に配置されている。なお、固体撮像素子５１は、上述のＣＭＯＳ型のイメージセンサーに限るものでなく、ＣＣＤ等の他の撮像素子を組み込んだものであってもよい。
【００２６】
レンズユニット４０を構成するレンズ間、又はレンズユニット４０とセンサー部５０との間には、フィルター等を配置することができる。図１の例では、フィルターＦ１は、撮像光学系１０の第５レンズＬ５と固体撮像素子５１との間に配置されている。フィルターＦ１は、光学的ローパスフィルター、ＩＲカットフィルター、固体撮像素子５１のシールガラス等を想定した平行平板である。フィルターＦ１は、別体のフィルター部材として配置することもできるが、別体として配置せず、撮像光学系１０を構成するいずれかのレンズ面にその機能を付与することができる。例えば、赤外カットフィルターの場合、赤外カットコートを１枚又は複数枚のレンズの表面上に施してもよい。
【００２７】
処理部６０は、素子駆動部６１と、入力部６２と、記憶部６３と、表示部６４と、制御部６８とを備える。素子駆動部６１は、固体撮像素子５１に付随する回路等に制御信号を出力することで固体撮像素子５１を動作させる。素子駆動部６１は、制御部６８から固体撮像素子５１を駆動するための電圧やクロック信号の供給を受けたり、固体撮像素子５１の出力信号に対応するＹＵＶその他のデジタル画素信号を外部回路に出力したりすることもできる。入力部６２は、ユーザーの操作を受け付ける部分であり、記憶部６３は、撮像装置１００の動作に必要な情報、カメラモジュール３０によって取得した画像データ等を保管する部分であり、表示部６４は、ユーザーに提示すべき情報、撮影した画像等を表示する部分である。制御部６８は、素子駆動部６１、入力部６２、記憶部６３等の動作を統括的に制御しており、例えばカメラモジュール３０によって得た画像データに対して種々の画像処理を行うことができる。撮像装置１００を例えば車載カメラとして用いる場合、適切な画像処理を施してドライバーに対し画像を表示する。
【００２８】
なお、詳細な説明を省略するが、処理部６０の具体的な機能は、本撮像装置１００が組み込まれる機器の用途に応じて適宜調整される。撮像装置１００は、車載カメラ、監視カメラ等の各種用途の装置に搭載可能である。
【００２９】
以下、図１を参照して、第１実施形態の撮像光学系（広角光学系）１０等について説明する。なお、図１で例示した撮像光学系１０は、後述する実施例１の撮像光学系１０Ａと略同一の構成となっている。
【００３０】
図示の撮像光学系（広角光学系）１０は、物体側より順に、負のパワーを有する第１レンズＬ１と、第２レンズＬ２と、正のパワーを有する第３レンズＬ３と、負のパワーを有する第４レンズＬ４と、正のパワーを有する第５レンズＬ５と、から実質的になる。ここで、負の第１レンズは広い画角の光を集める役割を有し、正の第３レンズＬ３は第１レンズＬ１で集めた光を適切に集光し、絞りＳＴを挟んだ後群、つまり第４レンズＬ４以降のレンズＬ４，Ｌ５等へ導く役割を有する。これにより、第２レンズＬ２については、非点収差等の諸収差を補正する役割に絞ることができる。また、第４レンズＬ４と第５レンズＬ５とを負及び正の組み合わせとすることで、色収差の補正を行うことができ、半画角が４０度以上と広角でありながらも、光学系全体としての高性能化を図ることができる。さらに、第２レンズＬ２の物体側面の近軸曲率は負であり、第２レンズＬ２の像側面の近軸曲率も負である。第２レンズＬ２の物体側面及び像側面における近軸曲率又は近軸曲率半径を負にすることにより、第２レンズＬ２は、第１レンズＬ１からの出射光に大きな屈折力を与えることなく光を受け取り、大きな屈折力を与えることなく第３レンズＬ３に光を出射することができる。つまり、第２レンズＬ２については、収差を悪化させずに補正する役割を有する。
【００３１】
本撮像光学系（広角光学系）１０において、第３レンズＬ３は、第１レンズＬ１から第５レンズＬ５のうち最も強いパワーを有する。ここで、パワーの強さは、絶対値で比較する。この場合、撮像光学系１０としての集光機能の大部分を第３レンズＬ３が担うこととなり、第１、第２、第４、及び第５レンズＬ１，Ｌ２，Ｌ４，Ｌ５については、集光以外の役割を持たせて配置することができる。これにより、高性能な光学特性を得ることができる。
【００３２】
第１〜第５レンズＬ１〜Ｌ５は、ガラスで形成されている。ガラスは樹脂材料よりも線膨張係数が小さいので、撮像光学系１０を温度変化に対して安定性の高い光学系とすることができる。特に、車載カメラや監視カメラ等の厳しい環境下における使用を想定した場合、第１レンズＬ１の物体側面には、強度、耐傷性、耐薬品性を高めるための処理を施すことが好ましく、撥水コートや親水コートを施すことが好ましい。実施形態の撮像光学系１０では、第２レンズＬ２と第５レンズＬ５とにおいて、物体側面及び像側面を非球面としているが、非球面を配置する箇所は、上記に限るものではなく適宜増減することができる。
【００３３】
撮像光学系１０は、以下の条件式（１）を満たす。
０．２＜ｆ／ＴＴＬ＜０．３    …    （１）
ここで、値ｆは、撮像光学系１０全系の焦点距離であり、値ＴＴＬは、第１レンズＬ１の物体側面頂点から光軸ＡＸに沿った像面又は撮像面Ｉまでの距離である。
【００３４】
条件式（１）の値ｆ／ＴＴＬが上記上限値を下回ることで、光学系が小さくなりすぎず、諸収差を補正するための十分なレンズ構成とすることができ、高性能な特性を得ることができる。一方、条件式（１）の値ｆ／ＴＴＬが上記下限値を上回ることで、光学系が大きくなりすぎず、光学系を小型化することができる。
【００３５】
撮像光学系１０は、以下の条件式（２）〜（４）を満たす。
ｄｎ／ｄＴ（Ｌ１）＞３．０×１０−６    …    （２）
ｄｎ／ｄＴ（Ｌ３）＞０．０×１０−６    …    （３）
ｄｎ／ｄＴ（Ｌ５）＜０．０×１０−６    …    （４）
ここで、値ｄｎ／ｄＴ（Ｌ１）は、温度２０℃〜４０℃を想定して、第１レンズＬ１におけるｄ線の屈折率の温度変化係数〔１／Ｋ〕であり、値ｄｎ／ｄＴ（Ｌ３）は、温度２０℃〜４０℃を想定して、第３レンズＬ３におけるｄ線の屈折率の温度変化係数〔１／Ｋ〕であり、温度２０℃〜４０℃を想定して、値ｄｎ／ｄＴ（Ｌ５）は、第５レンズＬ５におけるｄ線の屈折率の温度変化係数〔１／Ｋ〕である。
【００３６】
値ｄｎ／ｄＴ（Ｌ１）及びｄｎ／ｄＴ（Ｌ３）が条件式（２）及び（３）を満たす場合、第１レンズＬ１が負であり、第３レンズＬ３が正であることから、温度変化による光学系全体の屈折力の変化をほぼ相殺することができる。また、値ｄｎ／ｄＴ（Ｌ５）が条件式（４）を満たすことにより、条件式（２）及び（３）で実現される相殺の結果をさらに調整し、撮像光学系１０として良好な光学性能を維持することができる。
【００３７】
条件式（２）の値ｄｎ／ｄＴ（Ｌ１）については、望ましくは６．０×１０−６〔１／Ｋ〕以下とし、より望ましくは４．５×１０−６〔１／Ｋ〕以上、かつ、５．０×１０−６〔１／Ｋ〕以下とする。また、条件式（３）の値ｄｎ／ｄＴ（Ｌ３）については、望ましくは５．５×１０−６〔１／Ｋ〕以下とし、より望ましくは１．０×１０−６〔１／Ｋ〕以上、かつ、５．０×１０−６〔１／Ｋ〕以下とする。条件式（４）の値ｄｎ／ｄＴ（Ｌ５）については、望ましくは−７．０×１０−６〔１／Ｋ〕以上とし、より望ましくは−６．５×１０−６〔１／Ｋ〕以上、かつ、−５．０×１０−６〔１／Ｋ〕以下とする。
【００３８】
撮像光学系１０は、以下の条件式（５）を満たす。
０．０８＜（Ｒ２１／Ｒ２２）／ｆ＜０．１６    …    （５）
ここで、値Ｒ２１は、第２レンズＬ２の物体側面の曲率半径であり、値Ｒ２２は、第２レンズの像側面の曲率半径である。なお、値（Ｒ２１／Ｒ２２）／ｆの単位は、１／ｍｍである。
【００３９】
値（Ｒ２１／Ｒ２２）／ｆが条件式（５）を満たすことにより、第２レンズＬ２の入射光及び出射光に過度の屈折力がかからず、第１レンズＬ１からの光を収差を悪化させることなく第２レンズＬ２内に導くことができ、第２レンズＬ２から第３レンズＬ３へも収差を悪化させることなく光を伝達することができる。これにより、不要な収差が発生することを低減することができ、撮像光学系１０として光学性能を維持することができる。
【００４０】
なお、撮像光学系１０は、実質的にパワーを持たないその他の光学素子（例えばレンズ、フィルター部材等）をさらに有するものであってもよい。
【００４１】
以上説明した撮像光学系１０は、上述のようなレンズ構成を有することにより、小型でＦナンバーも明るい光学系でありながら、広い画角が確保され、良好な光学性能や高い解像性を有し、かつ環境温度の変化に対して高い安定性を有する。
【００４２】
〔実施例〕
以下、本発明の撮像光学系等の実施例を示す。各実施例に使用する記号は下記の通りである。
ｆ    ：全系の焦点距離
Ｆ    ：Ｆナンバー
２ｗ  ：最大全画角
ＴＴＬ：光学全長
Ｒ    ：曲率半径
Ｄ    ：軸上面間隔
Ｎｄ  ：レンズ材料のｄ線に対する屈折率
ｖｄ  ：レンズ材料のアッベ数
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【数１】
2019124744.tif 000003
ただし、
Ａｉ：ｉ次の非球面係数
Ｒ  ：曲率半径
Ｋ  ：円錐定数
【００４３】
（実施例１）
実施例１の撮像光学系の全体諸元を以下に示す。
f=5.46mm
F=2.00
2w=90.5°
TTL=23.0
【００４４】
実施例１の撮像光学系のレンズ面のデータを以下の表１に示す。なお、以下の表１等において、面番号を「Surf. N」で表し、開口絞りを「ＳＴ」で表し、無限大を「ＩＮＦ」で表している。
〔表１〕
Surf. N    R(mm)      D(mm)    Nd         vd
1       10.171      1.800    1.77250    49.62
2        3.236      2.641
3*      -6.769      2.500    1.83441    37.28
4*      -9.970      0.200
5       21.468      2.487    1.74400    44.72
6       -5.389     -0.640
7(ST)     INF       2.525
8       26.947      0.600    1.94595    17.98
9        6.895      0.500
10*      12.869      2.353    1.49710    81.55
11*      -6.053      0.500
12         INF       0.700    1.516798   64.19
13         INF       6.834
【００４５】
実施例１のレンズ面の非球面係数を以下の表２に示す。なお、これ以降（表のレンズデータを含む）において、１０のべき乗数（たとえば２．５×１０−０２）をＥ（たとえば２．５Ｅ−０２）を用いて表すものとする。
〔表２〕
第3面
K=0.45406E+01, A4=0.14301E-02, A6=-0.61767E-04, 
A8=0.12024E-03, A10=-0.28394E-04, A12=0.32997E-05, 
A14=-1.24773E-07, A16=0.00000E+00
第4面
K=-0.15205E+02, A4=0.16527E-03, A6=-0.44815E-04, 
A8=0.90563E-04, A10=-0.19032E-04, A12=0.18825E-05, 
A14=-7.14977E-08, A16=0.00000E+00
第10面
K=0.68512E+01, A4=-0.59757E-03, A6=0.56013E-03, 
A8=-0.15395E-03, A10=0.28412E-04, A12=-0.31270E-05, 
A14=1.89402E-07, A16=-4.75915E-09
第11面
K=-0.33189E+02, A4=-0.15927E-01, A6=0.46538E-02, 
A8=-0.10369E-02, A10=0.15702E-03, A12=-0.14550E-04, 
A14=0.73934E-06, A16=-0.15535E-07
【００４６】
実施例１の単レンズデータを以下の表３に示す。
〔表３〕
レンズ    始面    焦点距離(mm)
1         1       -6.898
2         3      -39.005
3         5        5.997
4         8       -9.813
5        10        8.614
【００４７】
図２（Ａ）は、実施例１の撮像光学系１０Ａ等の断面図である。撮像光学系１０Ａは、負のパワーを有し物体側に凸のメニスカスタイプの第１レンズＬ１と、負のパワーを有し像側に凸のメニスカスタイプの第２レンズＬ２と、正のパワーを有し両凸の第３レンズＬ３と、負のパワーを有し物体側に凸のメニスカスタイプの第４レンズＬ４と、正のパワーを有し両凸の第５レンズＬ５とを備える。第２及び第５レンズＬ２，Ｌ５は、光学面として非球面を有している。第１〜第５レンズＬ１〜Ｌ５は全てガラスで形成されている。第３レンズＬ３と第４レンズＬ４との間には、開口絞りＳＴが配置されている。第５レンズＬ５と固体撮像素子５１との間には、適当な厚さのフィルターＦ１が配置されている。フィルターＦ１は、光学的ローパスフィルター、ＩＲカットフィルター、固体撮像素子５１のシールガラス等を想定した平行平板である。符号Ｉは、固体撮像素子５１の被投影面である撮像面を示す。なお、符号Ｆ１，Ｉについては、以降の実施例でも同様である。
【００４８】
図２（Ｂ）〜２（Ｄ）は、実施例１の撮像光学系１０Ａの収差図（球面収差、非点収差、及び歪曲収差）を示している。
【００４９】
（実施例２）
実施例２の撮像光学系の全体諸元を以下に示す。
f=5.51mm
F=2.00
2w=90.5°
TTL=23.0
【００５０】
実施例２の撮像光学系のレンズ面のデータを以下の表４に示す。
〔表４〕
Surf. N    R(mm)      D(mm)    Nd         vd
1        9.806      1.570    1.77250    49.62
2        3.332      2.871
3*      -6.353      2.575    1.83441    37.28
4*     -10.312      0.200
5       21.359      2.365    1.77250    49.62
6       -5.719     -0.622
7(ST)     INF       2.988
8       25.137      0.600    1.94595    17.98
9        7.262      0.500
10*      12.244      2.250    1.49710    81.55
11*      -6.775      0.500
12         INF       0.700    1.516798   64.19
13         INF       6.500
【００５１】
実施例２のレンズ面の非球面係数を以下の表５に示す。
〔表５〕
第3面
K=0.76399E+00, A4=-0.34570E-03, A6=-0.61748E-04, 
A8=0.23425E-04, A10=-0.41354E-05, A12=0.81764E-07, 
A14=0.00000E+00, A16=0.00000E+00
第4面
K=-0.31129E+01, A4=0.10753E-02, A6=0.19749E-04, 
A8=0.15197E-04, A10=-0.19415E-05, A12=0.97258E-07, 
A14=0.00000E+00, A16=0.00000E+00
第10面
K=0.30518E+01, A4=0.17640E-03, A6=0.99106E-04, 
A8=0.12277E-04, A10=-0.55739E-05, A12=0.78716E-06, 
A14=-4.68843E-08, A16=1.01483E-09
第11面
K=0.39541E+00, A4=0.68150E-03, A6=0.26369E-03, 
A8=-0.71120E-04, A10=0.15424E-04, A12=-0.18434E-05, 
A14=0.11522E-06, A16=-0.28316E-08
【００５２】
実施例２の単レンズデータを以下の表６に示す。
〔表６〕
レンズ    始面    焦点距離(mm)
1         1       -7.274
2         3      -28.023
3         5        6.042
4         9      -10.835
5        11        9.107
【００５３】
図３（Ａ）は、実施例２の撮像光学系１０Ｂ等の断面図である。撮像光学系１０Ｂは、負のパワーを有し物体側に凸のメニスカスタイプの第１レンズＬ１と、負のパワーを有し像側に凸のメニスカスタイプの第２レンズＬ２と、正のパワーを有し両凸の第３レンズＬ３と、負のパワーを有し物体側に凸のメニスカスタイプの第４レンズＬ４と、正のパワーを有し両凸の第５レンズＬ５とを備える。第２及び第５レンズＬ２，Ｌ５は、光学面として非球面を有している。第１〜第５レンズＬ１〜Ｌ５は全てガラスで形成されている。第３レンズＬ３と第４レンズＬ４との間には、開口絞りＳＴが配置されている。第５レンズＬ５と固体撮像素子５１との間には、適当な厚さのフィルターＦ１が配置されている。
【００５４】
図３（Ｂ）〜３（Ｄ）は、実施例２の撮像光学系１０Ｂの収差図（球面収差、非点収差、及び歪曲収差）を示している。
【００５５】
以下の表７は、参考のため、各条件式（１）〜（５）に対応する各実施例１，２の値をまとめたものである。
〔表７〕
2019124744.tif 000004
【００５６】
以上、実施形態に即して撮像光学系等について説明したが、本発明に係る撮像光学系は、上記実施形態又は実施例に限るものではなく様々な変形が可能である。例えば、上記実施例において、第２レンズＬ２は、負のパワーを有するものに限らず、正のパワーを有するものとできる。
【００５７】
また、上記実施例において、フィルターＦ１は、車載カメラや監視カメラ等の用途における可視光又は近赤外光での撮像の際に、フィルターＦ１を２枚に分割してそれぞれ別の役割を持たせる等の構成をとることも可能である。
【符号の説明】
【００５８】
ＡＸ…光軸、  Ｆ１…フィルター、  Ｉ…撮像面、  Ｌ１〜Ｌ５…レンズ、  ＯＰ…開口、  １０，１０Ａ，１０Ｂ…撮像光学系、  ３０…カメラモジュール、  ４０…レンズユニット、  ５０…センサー部、  ５１…固体撮像素子、  ６０…処理部、  １００…撮像装置
【図１】
2019124744.tif 000005
【図２】
2019124744.tif 000006
【図３】
2019124744.tif 000007